(57)【要約】【課題】本体ケースやその内部部品の破損を未然に防ぐことができる除電除塵装置を提供する。【解決手段】本体ケース１１は、筒形状の胴部１１ａと、その胴部１１ａの下部から延出形成された把持部１１ｂとを有し、その胴部１１ａに外部からの衝撃を吸収するための衝撃吸収部材としてのカバー部材３を備える。【選択図】図３
2010000483.tif 000002
【特許請求の範囲】
【請求項１】
出射口を有する胴部から把持部が延出されてなる本体ケース内に、放電針と該放電針に電圧を印加してイオンを発生させる電圧印加手段とを備え、
前記本体ケースの把持部を手に持った状態で、空気供給源からの空気を前記イオンとともに前記出射口から除電除塵対象物に吹き付けることが可能な手持ち式の除電除塵装置において、
前記電圧印加手段は、前記放電針に印加する電圧を昇圧させるためのトランスを有し、
前記本体ケースは、その少なくとも胴部に外部からの衝撃を吸収するための衝撃吸収部材を備えたことを特徴とする除電除塵装置。
【請求項２】
請求項１に記載の除電除塵装置において、
前記電圧印加手段のトランスは、圧電トランスであることを特徴とする除電除塵装置。
【請求項３】
請求項１又は２に記載の除電除塵装置において、
前記衝撃吸収部材は、前記胴部の出射口に対応する部分に貫通形成された出射口保護部を備え、
前記出射口保護部は、前記出射口よりも出射側に突出するとともに、その少なくとも前記出射口側の面に導電性材料を有し、該導電性材料は接地されていることを特徴とする除電除塵装置。
【請求項４】
請求項１〜３のいずれか１項に記載の除電除塵装置において、
前記衝撃吸収部材は、前記本体ケースの少なくとも胴部を覆う着脱可能なカバー部材よりなることを特徴とする除電除塵装置。
【請求項５】
請求項１〜３のいずれか１項に記載の除電除塵装置において、
前記衝撃吸収部材は、二色成形により前記本体ケースと一体に構成されたことを特徴とする除電除塵装置。
【請求項６】
請求項１〜３のいずれか１項に記載の除電除塵装置において、
前記本体ケースは、その少なくとも胴部自身が前記衝撃吸収部材よりなることを特徴とする除電除塵装置。
【発明の詳細な説明】
【技術分野】
【０００１】
本発明は、除電除塵装置に関するものである。
【背景技術】
【０００２】
電子部品、フィルムの表面、塗装表面等の除電除塵対象物に付着した微細な塵埃を除去する装置として除電除塵装置が知られている。除電除塵装置は、放電針に高電圧を印加してコロナ放電を発生させ空気をイオン化させるとともに、このイオン化された空気を、除電除塵対象物に吹き付けることによって付着した微細な塵を除去するものである。
【０００３】
ところで、このような除電除塵装置では、本体ケースを手に持って操作が可能な手持ち式（ガンタイプ）のものがある（例えば特許文献１参照）。この除電除塵装置の本体ケースは、出射口を有する胴部から手で持つための把持部が延出形成され、該胴部内には前記放電針を備えている。そして、把持部を手に持ちトリガーを引くことで、放電針に高電圧が印加されて空気がイオン化されるとともにそのイオン化された空気が空気供給源からの空気とともに出射口から噴射されるようになっている。このような除電除塵装置では、本体ケースを持って自在に動かすことができるため、該ケースを振りながらワーク全体にイオン化された空気を吹き付けたり、塵等が溜まった箇所に狙って吹き付けたりすることが可能となっている。
【特許文献１】特開２００８−６２１５３号公報
【発明の開示】
【発明が解決しようとする課題】
【０００４】
しかしながら、上記のような除電除塵装置では、本体ケースを手に持って自在に動かすことが可能であるが故に、例えばワークへの吹き付けの最中や本体ケースを持って移動する際に、該ケースを誤ってぶつけてしまい、ケース自体やその内部部品を破損させてしまう虞があった。
【０００５】
本発明は、上記課題を解決するためになされたものであって、その目的は、本体ケースやその内部部品の破損を未然に防止することができる除電除塵装置を提供することにある。
【課題を解決するための手段】
【０００６】
上記課題を解決するために、請求項１に記載の発明は、出射口を有する胴部から把持部が延出されてなる本体ケース内に、放電針と該放電針に電圧を印加してイオンを発生させる電圧印加手段とを備え、前記本体ケースの把持部を手に持った状態で、空気供給源からの空気を前記イオンとともに前記出射口から除電除塵対象物に吹き付けることが可能な手持ち式の除電除塵装置において、前記電圧印加手段は、前記放電針に印加する電圧を昇圧させるためのトランスを有し、前記本体ケースは、その少なくとも胴部に外部からの衝撃を吸収するための衝撃吸収部材を備えたことを特徴とする。
【０００７】
この発明では、本体ケースの把持部を持った状態でその胴部を誤ってぶつけてしまったとき、衝撃吸収部材にてその衝撃が吸収されるため、本体ケースやその内部部品に伝わる衝撃が抑えられ、それらの破損を未然に防ぐことができる。
【０００８】
請求項２に記載の発明は、請求項１に記載の除電除塵装置において、前記電圧印加手段のトランスは、圧電トランスであることを特徴とする。
この発明では、外部からの振動に対する耐性が低い圧電トランスを備えた手持ち式の除電除塵装置に衝撃吸収部材が設けられるため、その衝撃吸収部材による破損抑制効果の恩恵をより大きく受けることができる。
【０００９】
請求項３に記載の発明は、請求項１又は２に記載の除電除塵装置において、前記衝撃吸収部材は、前記胴部の出射口に対応する部分に貫通形成された出射口保護部を備え、前記出射口保護部は、前記出射口よりも出射側に突出するとともに、その少なくとも前記出射口側の面に導電性材料を有し、該導電性材料は接地されていることを特徴とする。
【００１０】
この発明では、出射口保護部における静電気の蓄積を抑えることが可能となるため、出射口から出射されるイオンが出射口保護部に吸着してしまうことを防止でき、その結果、所望の極性バランスでイオンを除電除塵対象物に吹き付けることができる。
【００１１】
請求項４に記載の発明は、請求項１〜３のいずれか１項に記載の除電除塵装置において、前記衝撃吸収部材は、前記本体ケースの少なくとも胴部を覆う着脱可能なカバー部材よりなることを特徴とする。
【００１２】
この発明では、衝撃吸収部材にて外部からの衝撃をより効果的に吸収させることが可能となる。
請求項５に記載の発明は、請求項１〜３のいずれか１項に記載の除電除塵装置において、前記衝撃吸収部材は、二色成形により前記本体ケースと一体に構成されたことを特徴とする。
【００１３】
この発明では、衝撃吸収部材を本体ケースと一体に構成することができる。
請求項６に記載の発明は、請求項１〜３のいずれか１項に記載の除電除塵装置において、前記本体ケースは、その少なくとも胴部自身が前記衝撃吸収部材よりなることを特徴とする。
【００１４】
この発明では、本体ケースの内部部品に伝わる衝撃をより効果的に吸収することができる。
【発明の効果】
【００１５】
従って、上記記載の発明によれば、本体ケースやその内部部品の破損を未然に防ぐことができる。
【発明を実施するための最良の形態】
【００１６】
以下、本発明を具体化した一実施形態を図面に従って説明する。
図１及び図２に示すように、除電除塵装置１は、装着本体２と、装着本体２に装着された衝撃吸収部材としてのカバー部材３とからなる。装着本体２はガン（ピストル）形状をなし、その樹脂製の本体ケース１１は、筒形状の胴部１１ａと、その胴部１１ａの下部における前後方向中央からやや基端部よりの位置から下方に延出形成された把持部１１ｂとを有している。
【００１７】
本体ケース１１の胴部１１ａは、その基端部から中央部にかけて前後方向と直交する断面が略矩形状をなすとともに、該胴部１１ａの先端部は前後方向から見て円形の先端部ケース１１ｃにて構成されている。先端部ケース１１ｃは、先細形状に形成されるとともに、その先端中央にノズル取着部１２が開口形成されている（図３参照）。そして、そのノズル取着部１２には、出射口としてのノズルＮが取着されており、そのノズルＮからイオン化した空気が噴射されるようになっている。
【００１８】
また、先端部ケース１１ｃにおけるノズル取着部１２の上部には、照光ランプＬが設けられている。照光ランプＬは、白色の可視光線を出射する発光ダイオードよりなり、ノズルＮから噴射したイオン化した空気をワーク（除電除塵対象物）に吹き付けるとき、そのワークの吹き付け場所にその可視光線を照射するように配置されている。
【００１９】
尚、胴部１１ａの上面基端部には、環状の掛け止め１３が延出形成され、除電除塵装置１を吊下する際に、フック（図示せず）に引っ掛けられるようになっている。また、胴部１１ａの一側面には、各種設定スイッチを備えた設定操作部１１ｄが設けられている。
【００２０】
本体ケース１１の把持部１１ｂは、その幅方向（図３における紙面直交方向）の寸法が、胴部１１ａの幅方向の寸法よりも小さく形成されており、手で握るのに適した形状をなしている。この把持部１１ｂには、トリガー１４が設けられている。トリガー１４は把持部１１ｂを握った手の指で押されえると、本体ケース１１内に没入して、図３に示す同ケース１１内に設けられたトリガースイッチＳＷのオン／オフを切り替え可能となっている。
【００２１】
［本体ケースの内部部品の構成］
図３に示すように、本体ケース１１の胴部１１ａ内の基端部よりには、空気供給手段及び空気制御手段としての電磁弁ユニット１５が設けられている。
【００２２】
電磁弁ユニット１５は、空気供給手段を構成する電磁弁１６と、電磁弁１６を駆動制御する空気制御手段を構成する電磁弁制御回路部１７を備えている。電磁弁１６は、その一端（上流側）に空気導入ホース１８が接続されている。空気導入ホース１８は、本体ケース１１の把持部１１ｂ内を通って除電除塵装置１の外部に設けた空気供給源１９に接続されている。空気供給源１９は、圧縮ポンプ及び蓄圧器等で構成され一定圧力の空気を供給する。従って、電磁弁ユニット１５（電磁弁１６）には、空気導入ホース１８を介して、常に一定圧力の空気が空気供給源１９から供給されるようになっている。
【００２３】
電磁弁１６の他端（下流側）には、空気流路管２０の基端部が連結され、その空気流路管２０の先端部は胴部１１ａの前記ノズルＮと連結されている。従って、電磁弁ユニット１５（電磁弁１６）は、空気導入ホース１８を介して、空気供給源１９から供給される一定圧力の空気を、空気流路管２０を介して、ノズルＮから噴出させることができる。
【００２４】
詳述すると、電磁弁ユニット１５の電磁弁制御回路部１７は、電磁弁１６を駆動して電磁弁１６を開状態にすると、空気供給源１９からの一定圧力の空気を空気流路管２０に送出してノズルＮから噴出させる状態にすることができる。反対に、電磁弁制御回路部１７は、電磁弁１６を駆動して電磁弁１６を閉状態にすると、空気供給源１９からの一定圧力の空気を遮断し、ノズルＮから該空気の噴出を停止させる状態にすることができる。
【００２５】
ノズルＮは、例えばステンレス等の金属よりなる導電体であり、このノズルＮは接地されて接地電極（対向電極）として機能する。ノズルＮ内には、円筒状に形成された絶縁体２１が配設されている。空気流路管２０内であって絶縁体２１の近傍位置には、放電針２２が配置されている。放電針２２は、絶縁体よりなる間隔保持部材２３を介して空気流路管２０に支持固定されているとともに、空気流路管２０に対して電気的に絶縁されている。また、電磁弁１６から送出される空気は間隔保持部材２３で形成された空気流路管２０と放電針２２との間を介してノズルＮに流れる。
【００２６】
上記絶縁体２１は、例えばセラミックよりなる。絶縁体２１は、放電電極である放電針２２と接地電極（対向電極）として機能するノズルＮとの間の距離を短くするとともに、放電電極（放電針２２）と接地電極（ノズルＮ）との間の電位差を大きくしてコロナ放電を発生し易くするものであり、この絶縁体により除電除塵装置１の小型化が可能となる。
【００２７】
そして、放電針２２とノズルＮとの間に高周波高電圧の放電電圧が印加されると、放電針２２とノズルＮとの間にコロナ放電が発生し、このコロナ放電によりノズルＮ及び空気流路管２０内にある空気がプラス又はマイナスにイオン化されるようになっている。尚、ノズルＮ及び空気流路管２０内をイオン生成室２４とする。従って、電磁弁１６が閉状態にある時に、放電針２２とノズルＮとの間に高周波高電圧の放電電圧が印加されると、イオン生成室２４内にプラス又はマイナスにイオン化された空気が生成され滞留する。そして、イオン生成室２４内に生成されたイオン化された空気が滞留している状態から電磁弁１６を開状態にすると、電磁弁ユニット１５（電磁弁１６）から一定圧力の空気が空気流路管２０内に送出される。これによって、イオン生成室２４内に滞留していたイオン化された全ての空気は、ノズルＮから除電除塵対象物に向かって噴出される。
【００２８】
本体ケース１１の胴部１１ａ内には、電圧印加手段としての放電電圧生成ユニット２５が設けられている。放電電圧生成ユニット２５は、圧電トランス２６と、圧電トランス２６を駆動制御する放電制御回路部２７を備えている。放電制御回路部２７は、本体ケース１１の把持部１１ｂ内を通って伸びる配線２８を介して除電除塵装置１の外部に設けた電圧電源２９に接続されている。放電制御回路部２７は、電圧電源２９からの電源電圧を圧電トランス２６に供給制御して、圧電トランス２６から放電針２２とノズルＮとの間に印加する高周波高電圧の放電電圧を制御するようになっている。この圧電トランス２６は、機械的な共振現象を利用して電圧を昇圧する構造を有しており、外部からの振動に対する耐性が顕著に低い半導体振動デバイスである。
【００２９】
尚、除電除塵装置１の外部に設けた電圧電源２９は、電磁弁ユニット１５にも電源電圧を供給している。
上記したような電磁弁ユニット１５の電磁弁制御回路部１７、及び放電電圧生成ユニット２５の放電制御回路部２７はそれぞれ、トリガースイッチＳＷと電気的に接続されている。トリガースイッチＳＷは、トリガー１４の操作によって電磁弁制御回路部１７及び放電制御回路部２７にそれぞれオン／オフ信号を出力する。そして、このトリガースイッチＳＷからのオン信号に基づき、放電制御回路部２７は圧電トランス２６を介して高周波高電圧の放電電圧を放電針２２とノズルＮとの間に印加し、電磁弁制御回路部１７は電磁弁１６を開状態とする。一方、トリガースイッチＳＷからのオフ信号に基づき、放電制御回路部２７は放電電圧の印加を停止し、電磁弁制御回路部１７は電磁弁１６を閉状態とする。このようにして、トリガー１４の操作に基づくノズルＮからのイオン化された空気の噴射又は噴射の停止がなされるようになっている。
【００３０】
［カバー部材の構成］
図１及び図２に示すように、カバー部材３は、本体ケース１１の胴部１１ａを覆うものであり、該胴部１１ａの基端部から中央部にかけて覆う略筒状のカバー本体３１と、胴部１１ａの先端部を覆う先端カバー３２とから構成されている。
【００３１】
カバー本体３１は、クッション性のあるゴムよりなる。カバー本体３１は、前後方向と直交する断面が本体ケース１１の胴部１１ａの形状に合わせた略コ字状をなしており、胴部１１ａの上面と密着する上壁部３３と、該上壁部３３の幅方向両端から下方にそれぞれ延びて胴部１１ａの各側面と密着する側壁部３４とを有している。また、カバー本体３１は、その基端部に上壁部３３及び各側壁部３４と一体をなす基端壁部３５を有し、該基端壁部３５は胴部１１ａの基端面と密着している（図３参照）。カバー本体３１には、その先端下部から基端部付近まで延びる切り欠き３６が形成されており、この切り欠き３６から本体ケース１１の把持部１１ｂが延出されている。
【００３２】
各側壁部３４は、その下端部が胴部１１ａの下部側に湾曲して延びており、胴部１１ａ下部の角部分を保護する形状をなしている。また、カバー本体３１の基端壁部３５も、その下端部が胴部１１ａの下部側に湾曲して延びており、胴部１１ａの基端下部の角部分を保護する形状をなしている（図３参照）。
【００３３】
図１及び図２において手前側の側壁部３４には、本体ケース１１の設定操作部１１ｄを操作可能とするためのスイッチ用窓部３４ａが開口形成されている。また、カバー本体３１の各側壁部３４及び上壁部３３には、前後方向に延びる複数の溝３７が形成されている。この複数の溝３７により構成される細かな凹凸形状によって、カバー本体３１の衝撃吸収能力が向上されている。
【００３４】
上壁部３３の基端部には、本体ケース１１の掛け止め１３の上面及び両側面を覆う掛け止め被覆部３８が形成されている。また、上壁部３３における掛け止め被覆部３８の下部には、カバー本体３１の着脱時に掛け止め１３が通過する開口３８ａが形成されている。尚、カバー本体３１の基端壁部３５には、胴部１１ａ基端面に設けられた銘板を目視可能とするための窓部３５ａが開口形成されている（図３参照）。また、カバー本体３１には、上壁部３３先端から各側壁部３４先端に亘って形成された円弧状の取付部３９が形成されている。
【００３５】
先端カバー３２は、カバー本体３１と同様にクッション性のあるゴムよりなる。先端カバー３２は、円錐台形状をなすとともに、胴部１１ａの先端部ケース１１ｃの形状に合わせた先細り形状をなしている。図３に示すように、先端カバー３２の基端部内周には、カバー本体３１の取付部３９に係止される係止部４１が形成されており、その取付部３９と係止部４１との係止によって先端カバー３２がカバー本体３１に固定されている。
【００３６】
先端カバー３２の先端部には、ノズルＮに対応する部分に貫通形成された出射口保護部としてのノズル保護部４２が形成されている。ノズル保護部４２は、その内周面４２ａがノズルＮの外周面と密着する円筒状をなすとともに、ノズルＮよりも出射側に突出している。このノズル保護部４２は、カーボン粉や金属粉等の導電性粉体（導電性材料）を含む導電性ゴムよりなるとともに、該ノズル保護部４２は接地されている。尚、ノズル保護部４２は、その全体に導電性粉体を含む構成としてもよく、ノズル保護部４２の少なくとも内周面４２ａ（ノズルＮ側の面）に導電性粉体を含む構成であればよい。このような構成により、ノズル保護部４２における静電気の蓄積が抑えられ、ノズルＮから出射されるイオンが該保護部４２に吸着してしまうことが抑制されている。その結果、生成したイオンの無駄が抑えられるとともに、イオン化された空気を所望の極性バランスでワークに吹き付けることが可能となっている。尚、先端カバー３２におけるノズル保護部４２の上部には、照光ランプＬ用の窓部４３が開口形成されている。
【００３７】
このカバー本体３１と先端カバー３２よりなるカバー部材３は着脱可能であり、該カバー部材３を本体ケース１１に装着する際には、まず、カバー本体３１の各側壁部３４を幅方向に拡げ、該カバー本体３１を本体ケース１１の胴部１１ａに上方から被せるように装着する。次に、先端カバー３２を胴部１１ａの先端部に前方から被せ、該先端カバー３２の係止部４１をカバー本体３１の取付部３９に係止固定する。このようにして、カバー部材３を本体ケース１１に装着するようになっている。
【００３８】
尚、本実施形態の除電除塵装置１では、カバー部材３を本体ケース１１に装着した状態においても、本体ケース１１の掛け止め１３には落下防止用のストラップが取付可能となっている。これにより、掛け止め１３に取り付けたストラップを使用者の手首や首に掛けて使用することで、除電除塵装置１が不意に手から離れてしまっても地面に衝突することを防止することができる。
【００３９】
また、本実施形態の除電除塵装置１では、外部からの何らかの衝撃が加わったとき、カバー部材３がその衝撃を吸収し、本体ケース１１並びにその内部部品の破損を未然に防止するようになっている。また、本実施形態では、ワークへのイオン吹き付けの最中等、本体ケース１１の把持部１１ｂを持った状態で誤ってどこかにぶつけやすい胴部１１ａに、衝撃耐性の低い圧電トランス２６が設けられているため、カバー部材３による衝撃吸収の恩恵をより大きく受けることができる。
【００４０】
次に、本実施形態の特徴的な作用効果を記載する。
（１）本実施形態では、本体ケース１１はその胴部１１ａに外部からの衝撃を吸収するための衝撃吸収部材としてのカバー部材３を備える。これにより、本体ケース１１の把持部１１ｂを持った状態でその胴部１１ａを誤ってぶつけてしまったとき、カバー部材３にてその衝撃が吸収されるため、本体ケース１１やその内部部品に伝わる衝撃が抑えられ、それらの破損を未然に防ぐことができる。
【００４１】
（２）本実施形態では、放電針に印加する電圧を昇圧させるための圧電トランス２６を本体ケース１１の胴部１１ａ内に有する。即ち、衝撃耐性の低い圧電トランス２６を備えた手持ち式の除電除塵装置１にカバー部材３が設けられるため、そのカバー部材３による破損抑制効果の恩恵をより大きく受けることができる。
【００４２】
（３）本実施形態では、カバー部材３は、胴部１１ａの出射口としてのノズルＮよりも出射側に突出する出射口保護部としてのノズル保護部４２を備え、該ノズル保護部４２は、導電性粉体（導電性材料）を含む導電性ゴムよりなる。即ち、ノズル保護部４２の少なくとも内周面４２ａ（ノズルＮ側の面）に導電性粉体が含まれる。これにより、ノズル保護部４２における静電気の蓄積を抑えることが可能となるため、ノズルＮから出射されるイオンがノズル保護部４２に吸着してしまうことを防止でき、その結果、所望の極性バランスでイオンを除電除塵対象物に吹き付けることができる。
【００４３】
（４）本実施形態では、衝撃吸収部材は、本体ケース１１の胴部１１ａを覆うカバー部材よりなるため、衝撃吸収部材にて外部からの衝撃をより効果的に吸収させることが可能となる。
【００４４】
尚、本発明の実施形態は、以下のように変更してもよい。
・上記実施形態では、衝撃吸収部材としてカバー部材３が設けられたが、特にこれに限定されるものではなく、例えば、衝撃吸収部材を二色成型により本体ケース１１と一体に形成してもよい。尚、この場合、例えば、内側の樹脂の層（本体ケース１１）を１次成形し、その外側に衝撃吸収部材（ゴム等）の層を２次成形する。このような構成によれば、衝撃吸収部材を本体ケースと一体に構成することができ、好適である。
【００４５】
また、例えば、本体ケース１１を塩化ビニール等で構成し、その本体ケース１１自体を衝撃吸収部材として構成してもよい。また、例えば、本体ケース１１の胴部１１ａを塩化ビニール等で構成し、その胴部１１ａ自体を衝撃吸収部材として構成するとともに、樹脂材料等で形成した把持部１１ｂを胴部１１ａに対しネジ等で固定する構成としてもよい。このような構成によれば、本体ケース１１は、その少なくとも胴部１１ａ自身が衝撃吸収部材よりなるため、本体ケース１１の内部部品に伝わる衝撃をより効果的に吸収することができる。
【００４６】
・上記実施形態では、カバー部材３は本体ケース１１の胴部１１ａを保護する構成としたが、把持部１１ｂも含めて保護する構成としてもよい。
・上記実施形態では、カバー部材３をカバー本体３１と先端カバー３２とからなる分離型としたが、カバー本体３１と先端カバー３２とを一体に構成してもよい。
【００４７】
・上記実施形態では、衝撃吸収部材としてのカバー部材３はゴムにて構成されたが、特にこれに限定されるものではなく、弾性部材、発砲部材等、衝撃を吸収可能なクッション性のあるものであればよい。
【００４８】
・上記実施形態では、ノズル保護部４２は金属粉を含む導電性ゴムにて構成されたが、これ以外に例えば、ノズル保護部４２の内周面に金属箔や金属製の筒状部材を設ける構成としてもよい。
【００４９】
・上記実施形態では、放電電圧生成ユニット２５は圧電トランス２６を備えたが、放電電圧を昇圧可能なものであれば置き換え可能である。
・上記実施形態では、所謂ガン（ピストル）タイプの除電除塵装置に具体化したが、特にこれに限定されるものではなく、本体ケースを手に持ってイオンが吹き付けることが可能な手持ち式の除電除塵装置であればよい。
【図面の簡単な説明】
【００５０】
【図１】除電除塵装置の斜視図。
【図２】除電除塵装置の分解斜視図。
【図３】除電除塵装置の断面図。
【符号の説明】
【００５１】
１…除電除塵装置、３…衝撃吸収部材としてのカバー部材、１１…本体ケース、１１ａ…胴部、１１ｂ…把持部、１９…空気供給源、２２…放電針、２５…電圧印加手段を構成する放電電圧生成ユニット、２６…電圧印加手段を構成する圧電トランス。
【図１】
2010000483.tif 000003
【図２】
2010000483.tif 000004
【図３】
2010000483.tif 000005